(57)【要約】【課題】ネットワーク間において消費電力に対するスケジューリングを行なうことでネットワーク全体の省電力を実現するモバイルネットワークの省電力スケジューリングを行なう通信制御装置を提供する。【解決手段】本発明の通信制御装置は、移動端末にサービスを提供する複数の基地局に対して制御を行い、前記各基地局とサービス提供エリア内の移動端末との間の通信状況を受信する受信ユニットと、前記通信状況に基づいて、前記各基地局の消費電力に対して制御を行ない、前記各基地局中の複数の無線通信モジュールの中の一部の無線通信モジュールの電源をオンまたはオフにする制御ユニットとを備える。【選択図】図６
2011061778.tif 000002
【特許請求の範囲】
【請求項１】
移動端末にサービスを提供する複数の基地局に対して制御を行なう通信制御装置であって、前記各基地局とサービス提供エリア内の移動端末との間の通信状況を受信する受信ユニットと、前記通信状況に基づいて、前記各基地局の消費電力に対して制御を行い、前記各基地局における複数の無線通信モジュールの中の一部の無線通信モジュールの電源をオンまたはオフにする制御ユニットと、を備えることを特徴とする通信制御装置。
【請求項２】
請求項１に記載の通信制御装置において、前記各基地局はそれぞれ少なくとも一つの他の前記基地局との間で重複するサービス提供エリアを有し、前記通信制御装置は前記通信状況に基づいて通信トラフィックシフトを行い、前記移動端末と前記基地局との通信を当該重複するサービス提供エリア内の他の基地局との通信に変更し、前記変更前後の基地局内の無線通信モジュールの電源のオンまたはオフを制御することを特徴とする通信制御装置。
【請求項３】
請求項１に記載の通信制御装置において、前記通信制御装置は前記各基地局の各時間帯に基づいて、事前に電源をオンにする必要のある前記無線通信モジュールの数を予め確定し、事前に電源をオンにする必要のある前記無線通信モジュールの数を前記各基地局の各時間帯のピーク時のサービス要求より多く設定することを特徴とする通信制御装置。
【請求項４】
請求項３に記載の通信制御装置において、前記各基地局の各時間帯のピーク時のサービス要求は過去のデータをまとめて得ることを特徴とする通信制御装置。
【請求項５】
請求項３に記載の通信制御装置において、所定の基地局の所定の時間帯において、必ず事前に電源をオンにしなければならない前記無線通信モジュールの最低限度の数はゼロであることを特徴とする通信制御装置。
【請求項６】
請求項３に記載の通信制御装置において、前記所定の時間帯は少なくとも二種類の時間帯があり、第一の時間帯では前記基地局中の前記無線通信モジュール以外の設備の電源をオンにし、第二の時間帯では前記基地局中の前記無線通信モジュール以外の設備の電源をオフにすることができることを特徴とする通信制御装置。
【請求項７】
請求項３に記載の通信制御装置において、前記各基地局の各時間帯のピーク時のサービス要求は通信制御装置のメモリに保存されていることを特徴とする通信制御装置。
【請求項８】
請求項１に記載の通信制御装置において、前記制御ユニットは、前記複数の基地局のトラフィックを解析するトラフィック解析機能部と、前記トラフィック解析機能部によって解析されたトラフィック状況と基地局端末状態に基づき、且つ前記基地局ピーク時サービス要求と合わせて、ネットワーク中の各基地局に対して省電力スケジューリングを行なうネットワーク省電力スケジューリングユニットと、前記複数の基地局と通信を行い、前記ネットワーク省電力スケジューリングユニットの省電力スケジューリング結果を前記各基地局に送信する省電力制御部と、を含むことを特徴とする通信制御装置。
【発明の詳細な説明】
【技術分野】
【０００１】
本発明はモバイル通信ネットワークにおける通信制御装置に関し、特にモバイル通信ネットワークにおいて省電力スケジューリングを行なう通信制御装置に関する。
【背景技術】
【０００２】
モバイル通信において、モバイルネットワークの省電力技術はますます重要な課題になりつつある。特に、中国において、すべての中国のモバイル運営業者、例えば「中国電信」、「中国移動」、「中国聯通」は、ネットワーク設備の消費電力を削減することを約束している。例えば、「中国移動」は、２００５年に比べて２０１０年までに４０％（８億ｋｗｈの電力、２千７００万トンの標準石炭、５７０万トンの二酸化炭素排出量）の無線ネットワーク消費電力を節約することを宣言している。
【０００３】
多くのネットワーク設備製造業者、例えば「華為」と「モトローラ」は、シングル基地局システム内部の省電力技術に力を注いでいる。また、多くの端末製造業者、例えば「中興」、「ＮＥＣ」、「Ｎｏｋｉａ」は、端末省電力に便利なネットワーク側の技術を提案している。
【０００４】
しかし、モバイルネットワークシステム全体からみると、大規模なモバイルネットワークの省電力スケジューリングが行なえる技術はいまだにない。
【発明の概要】
【発明が解決しようとする課題】
【０００５】
Ｂ３Ｇ／４Ｇの絶えない配置に伴い、多くの基地局の配置は非常に密集し、これらの基地局間のネットワークカバレッジは大いに重複している。現在、ネットワーク側のスケジューリング技術がすでにネットワークサービス性能向上に利用されているが、この場合、すべての基地局がフル負荷で電力を消費する。しかし、ネットワークの負荷がそれほど重くなく且つ負荷分布が非常に非均等な場合、ネットワークにユーザがそれほど多くなく、負荷が重くないときにも、全ネットワークの消費電力を低減することができない。このような場合、シングル基地局システムに省電力機能があっても、基地局の間に互いの協調がなく、全ネットワークに対する統一のスケジューリングもないため、最適な省電力性能に達することができない。そのため、大規模モバイルネットワーク向けの省電力スケジューリング技術を提案する必要がある。
【０００６】
要するに、現在多くのモバイルネットワークの省電力はシングル基地局システムのみに利用されており、ネットワークを中心とする省電力解決案はいまだにない。
【０００７】
そのため、本発明は、モバイルネットワークの省電力スケジューリングを行なう通信制御装置を提供し、ネットワーク間で消費電力に対するスケジューリングを行なうことにより、ネットワーク全体の消費電力を均等にし、ネットワーク全体の省電力を実現することを目的とする。
【課題を解決するための手段】
【０００８】
上記の目的を達するために、本発明による通信制御装置は、移動端末にサービスを提供する複数の基地局に対して制御を行ない、前記各基地局とサービス提供エリア内の移動端末との間の通信状況を受信する受信ユニットと、前記受信状況に基づいて、前記各基地局の消費電力に対して制御を行い、前記各基地局における複数の無線通信モジュールの中の一部の無線通信モジュールの電源をオンまたはオフさせる制御ユニットと、を備える。
【０００９】
また、前記各基地局はそれぞれ少なくとも一つの他の前記基地局との間で重複するサービス提供エリアを有し、前記通信制御装置は前記通信状況に基づいて通信トラフィックシフトを行い、前記移動端末と前記基地局との通信を当該重複するサービス提供エリア内の他の基地局との通信に変更し、前記変更前後の基地局内の無線通信モジュールの電源のオンまたはオフを制御する。
【００１０】
さらに、前記通信制御装置は前記各基地局の各時間帯に基づいて、事前に電源をオンにする必要のある前記無線通信モジュールの数を予め確定し、事前に電源をオンにする必要のある前記無線通信モジュールの数を前記各基地局の各時間帯のピーク時のサービス要求より多く設定する。
【発明の効果】
【００１１】
本発明による通信制御装置は、ネットワーク全体の消費電力の最適化が可能で、ネットワーク全体の基本基地局システムの修正は必要ない。
【図面の簡単な説明】
【００１２】
【図１】モバイル通信ネットワークの構成。
【図２】モバイル通信基地局内部の消費電力モデル例。
【図３】本発明による省電力管理ノードを有するモバイルネットワークの構成。
【図４】本発明による省電力管理ノードの内部構成。
【図５】本発明によるモバイルネットワーク基地局の内部構成。
【図６】本発明による省電力制御スケジューリングのシグナリングプロセス。
【図７】本発明による省電力管理ノード内部の基地局サービス状態テーブルの構成。
【図８】本発明による省電力管理ノード内部の端末状態テーブルの構成。
【図９】本発明によるすべての基地局の基地局ピーク時レベルテーブルの構成。
【図１０】本発明による省電力管理ノード内部の省電力スケジューリングの実例プロセス。
【図１１】本発明による省電力管理ノード内部が基地局に送信する省電力管理メッセージの構成。
【図１２】本発明による基地局が省電力管理ノードに応答するメッセージの構成。
【図１３】本発明による一回の省電力スケジューリングを行なう実例プロセス。
【発明を実施するための形態】
【００１３】
以下、図面を参照しながら本発明の実施例について説明をする。以下で説明する実施例は３ＧＰＰ  ＬＴＥ−Ａの通信システムに基づいたものである。本発明はその他の多基地局連携サービスをサポートするモバイル通信ネットワークにも応用できる。
【００１４】
図１はモバイルセルラーネットワークの構成である。ネットワークにおいて、複数の移動端末（図においては５個）が複数のモバイル通信基地局に接続されている。モバイル通信基地局は主に無線ネットワークのアクセスと無線データの送受信に使用される。複数のモバイル通信基地局はネットワークを介してモバイルネットワークの例えばモバイルネットワークゲートウェイのエンドポイントにリンクされている。モバイルネットワークゲートウェイの後端には応用サーバとインターネットが設置されている。
【００１５】
図２は一つの基地局の消費電力モデルの例示である。基地局の消費電力は、電力供給モジュール（基本電源）２０１（消費電力６００Ｗ）、冷却システム（ファン等）２０２（消費電力５００Ｗ）、及びスイッチと関連制御部（ルータユニット）２０３（消費電力３００Ｗ）などが含まれる。上記消費電力はフル負荷時の有効電力である。負荷の低下に伴い（例えばあるモジュールがドーマント状態またはオフ状態に入る）、消費電力も低下する。また、基地局の消費電力には無線サービスに関連するモジュール、例えば、各セルのサービスモジュール２０４（１７０Ｗ）、合成器２０５（２５Ｗ）、及びデュプレクサ２０６（６Ｗ）などがさらに含まれている。
【００１６】
無線サービスに関連するモジュール２０４〜２０６は一般的に搬送波とセルをユニットとして組み分ける。図２には４つの搬送波があり、それぞれの搬送波には３つのセルサービスモジュールがあり、それぞれのセルサービスモジュール２０４は単独のモジュールとして基地局２に存在する。それぞれのセルサービスモジュールの消費電力が１７０Ｗだとすると、トータルの消費電力は、
６００＋５００＋３００＋（１７０＋２５＋６）＊１２＝３８１２Ｗ
になり、ほとんどの電力は無線サービスに関連するモジュール２０４〜２０６によって消費されることが分かる。
【００１７】
セルサービスモジュール２０４はソフトウェア方式によって実現できるが、一般的にカードのハードウェア方式で実現し、カードはオンまたはオフ可能で、或いはドーマントモードでもよい。本発明において、セルサービスモジュール２０４がカードのハードウェア方式によって実現する場合、簡単なパラメータ調整によって、本発明による方法はソフトウェア方式のセルサービスモジュール２０４にも適用可能で、それぞれのセルサービスモジュール２０４はいずれも一定の無線リソースを提供することができる。特別な説明がない限り、本発明で言及される無線リソースはいずれも各基地局が提供できる無線サービスリソースであり、一つのエリア内でサポートするユーザの数に対応できるとともに、一つのエリア内で転送可能な物理層の最大データ転送速度にも対応できる。図２における一つまたはいくつかのセルサービスモジュール２０４がドーマントモードからワーキングモードに変わる場合、基地局が提供可能な無線サービスリソースもそれに伴って増加し、一つのエリア内でサポートできるユーザの数と物理層の最大データ転送速度も同じ比率で増加するが、基地局の全体消費電力も増加する。それとは逆に、一つまたはいくつかのセルサービスモジュール２０４がドーマントモードに入るか、またはすべての基地局がドーマント状態或いはオフ状態に入ると、基地局の消費電力は大きく下がるが、無線リソースも少なくなり、提供できるサービスも大きく低下する。
【００１８】
図３は本発明による中央制御をサポートするモバイルネットワーク省電力スケジューリングのネットワーク構成である。ネットワーク側において、本発明は中央制御ユニットとしてモバイルネットワークゲートウェイに省電力管理ノード（ＥＭＮ）を増設し、全ネットワークのリソースをスケジューリングしてネットワーク全体の消費電力を削減する。本発明に言及される省電力管理をサポートする基地局６は、従来の基地局２の下で新しい通信機能を追加して、省電力管理ノードへの情報報告と省電力スケジューリングコマンドの執行をサポートする。
【００１９】
図４は省電力管理ノード即ち通信制御装置の内部構成である。省電力管理ノードはプログラムメモリにトラフィック解析機能部４０７、省電力制御部４０８、およびネットワーク省電力スケジューラ４０９を新たに追加し、これらの部分が制御ユニットを構成する。その内で、トラフィック解析機能部４０７は、全ネットワークのすべての基地局からの現在の通信トラフィック情報を解析する。省電力制御部４０８は、複数の基地局と通信する基本プロトコルユニットである。そのなか、キーの部分はネットワーク省電力スケジューラ４０９である。ネットワーク省電力スケジューラ４０９は、トラフィック解析と基地局端末状態に基づき、且つ基地局ピーク時レベルと合わせて、ネットワーク中のすべての基地局２に対して省電力スケジューリングを行なう。その結果は省電力制御部４０８を通じて各基地局に送信される。
【００２０】
省電力管理ノードは、基地局サービス状態テーブル４１２、基地局ピーク時レベルテーブル４１３、および端末状態テーブル４１４を新たにデータメモリに追加する。基地局サービス状態テーブル４１２には、現在のモバイル通信ネットワーク中のすべての基地局の作動状態が記録され、その構成は図７に示すとおりである。基地局ピーク時レベルテーブル４１３には、一日中各時刻における各基地局２が維持しなければならないサービスレベル（ワーキング状態を維持する無線リソース）の下限が定義され、一般的には長時間の統計結果に基づいて、モバイル通信運営業者によって手動で設定される。端末状態テーブル４１４には、すべての端末のワーキングとトラフィックの状態が記録され、本発明の省電力スケジューリングを行なう際の参考にする。
【００２１】
図５は本発明による改造後の基地局の内部構成である。従来の基地局に比べると、一つの省電力管理ノードと通信を行なう省電力制御インターフェースモジュール５１０を追加しただけである。通常の場合、省電力制御インターフェースモジュール５１０は基地局の作動とサービス状態を省電力管理ノードに報告する。省電力管理ノードが省電力スケジューリングを行なった後、省電力制御インターフェースモジュール５１０は省電力管理ノードからのスケジューリングコマンドを受信し、対応する省電力コマンド（いくつかの無線サービスを受信または転送し、その後いくつかのセル制御モジュールまたは基地局システム全体をオフ／ドーマント／ウェークアップさせる）を執行する。
【００２２】
図６は本発明による省電力スケジューリングのシグナリングプロセスである。まず、すべての基地局と省電力管理ノードは最新の基地局状態情報を更新し（６０１）、同時に、基地局は省電力管理ノードにトラフィックとサービス状態情報を周期的に報告する（６０２）。スケジューリングが必要な時、省電力管理ノードは全ネットワークの省電力スケジューリングを行なう（６０３）。当該スケジューリングは基地局の重複サービス提供エリアを考慮して、いくつかの基地局のサービスを他の基地局にシフトし、重複サービスを避け、なお、繰り返し最適化計算を採用して最適なスケジューリング結果を見つける。スケジューリング後の結果はすべての基地局に送信される（６０４）。そして、基地局は対応するコマンドを執行し（６０５）、省電力管理ノードに執行結果と更新状態を送信する（６０６）。
【００２３】
図７は本発明による省電力管理ノード内部の基地局サービス状態テーブルの構成である。当該テーブルにはすべての基地局の作動状況、利用状態及びサービス状態が記録されている。それぞれの記録は一つの基地局６に対応する。各記録には、基地局識別子７０１、基地局の基本作動状態７０２（例えば、オンまたはオフまたはドーマント）、自分とサービス提供エリアが重複する基地局７０３、現在の利用率７０４、現在サービス提供中の端末数７０５、端末識別子７０６、移動端末１が現在の基地局リソースを占用しているパーセンテージ７０７が含まれている。７０３には、現在の基地局とサービス提供エリアが重複する基地局がリストアップされている。これは隣接セルテーブルに似ている。現在の利用率７０４は現在の基地局６の無線リソースの利用率で、現在の基地局６をオンにすると、２０％の無線リソース（基本シグナリングや無線セルの維持などに使用）が利用されると仮定される。７０５は現在サービス提供中の端末数を示す。７０６には各移動端末の識別子がリストアップされている。７０７は当該移動端末が現在の基地局リソースを占用しているパーセンテージを表す。
【００２４】
図８は本発明による省電力管理ノード内部の端末状態テーブルの構成である。当該テーブルの主な目的は省電力管理ノードの省電力スケジューリングを行なうための参考情報を提供する。各記録は一つの移動端末に対応する。当該テーブルには、端末番号（端末識別子）８０１、移動端末１の現在の状態８０２、及び現在の速度８０３が含まれている。８０４以降は現在サービスを提供している移動端末の基地局が順次リストアップされている。
【００２５】
図９は本発明によるすべての基地局の基地局ピーク時レベルテーブルの構成である。このテーブルの主な目的は二つ有り、一つ目は、基地局のリソース利用比率を定量化することで、省電力管理ノードの計算を簡素化し、シグナリングの長さを節約し、基地局の省電力作業を簡略化する。二つ目は、過去のある基地局のリソースの占用比率をまとめることで、経験に基づいて、ある基地局のある時間帯でオンにする必要のある最低限のリソースのパーセンテージを設定してモバイルネットワークのサービスを保証する。図９は一つの簡単な実現例で、各基地局はいずれも以下のようなリソースオンのレベルを有する。
【００２６】
ピーク時レベル１：ある基地局のリソースをすべてオンにする。
ピーク時レベル２：ある基地局のリソースを６０％オンにする。
ピーク時レベル３：ある基地局のリソースを３０％オンにする。
ピーク時レベル４：ある基地局のリソースを０％オンにするが、基地局は相変わらずオンの状態にあり、すべての無線サービスモジュールまたはカードがドーマント状態にあるだけで、すぐ作動状態に回復できる。
ピーク時レベル５：ある基地局のリソースを０％オンにし、基地局はオフの状態にある。
【００２７】
実際の操作において、一つの時間帯の一つの基地局に対して、省電力スケジューリングの結果の最低ラインは現在のピーク時レベルに定められたリソースを満足しなければならない。例えば、ある１３：００のスケジューリングの結果において、移動端末３のトラフィックを基地局２から基地局１と基地局３にシフトすることができる。そして、基地局２はピーク時レベル２に設定する。しかし、基地局ピーク時レベルテーブルの内容により、この時間帯に基地局２はフルリソースで作動しなければならない。さもないと、サービスの品質を低下させる可能性がある。したがって、このスケジューリング結果は受け入れられない。そのため、スケジューリングプロセスは次回の繰り返し最適化計算に進んで、その他の結果を見つける。最後に、見つかった準最適結果は移動端末３のデータをすべて基地局１から基地局２にシフトし、基地局１はピーク時レベル２に調整され、基地局ピーク時レベルテーブルを満たすことになる。ここでの省電力スケジューリングの繰り返し最適化計算は様々な計算方法があるが、従来技術であるため、詳細な説明を省略する。
【００２８】
基地局ピーク時レベルテーブルの内容は実際の状況に基づいて柔軟に設定できる。例えば、ある基地局は二つのピーク時レベル（オンとオフ）だけサポートすることで、省電力スケジューリングのプロセスを簡素化することができる。
【００２９】
図１０は本発明による省電力管理ノード内部の省電力スケジューリングを行なう実例プロセスである。まず、省電力管理ノードはすべての基地局から状態情報を採集し、状態情報テーブルを更新し（１００１）、そして、省電力スケジューリングを行なう必要があるときに、所定のスケジューリング計算方法に基づいて省電力スケジューリングを行なう。本発明において、仮定された省電力スケジューリング計算方法は繰り返しによる最適化計算法であり、計算において、基地局サービス状態テーブルと端末状態テーブル中のパラメータを計算モデルに代入して一回目の繰り返しを行ない（１００２）、結果が収束すると（１００３）、直接基地局ピーク時レベルテーブルをチェックする（１００４）。結果が要求を満たす場合、直接スケジューリング結果が生成され、対応する基地局に送信される。（１００３）と（１００４）の結果がいずれも「いいえ」であれば、（１００２）に戻って次回の繰り返しを行い、最適または準最適結果が見つかるまで計算を繰り返す。異なる省電力スケジューリング計算方法によってステップ（１００２）〜（１００４）は異なる場合がある。本発明に言及される省電力スケジューリングシステムは、異なる省電力スケジューリング計算方法をサポートしており、ステップ（１００１）〜（１００５）は異なる省電力スケジューリング計算方法において、すべて同じである。最も簡単な省電力スケジューリング計算方法は繰り返しに基づく線形最適化方法で、毎回の繰り返しは必ず収束し、得られる結果はある一つのパラメータ（例えば基地局の省電力）のみに対して最適である。もっと複雑な計算方法は複数のパラメータの非線形繰り返し最適化方法で、このような方法は複数のパラメータに基づく最適化結果が得られる。しかし、収束する解が相対的に少なく、計算プロセスが複雑になる。実際の状況に基づいて省電力スケジューリングの計算方法を選択すればよい。
【００３０】
図１１は本発明による省電力管理ノードが基地局に送信する省電力管理メッセージの構成である。ここではＩＰパケットヘッドおよびその後ろの部分のみを記載する。ＩＰパケットヘッドには、目的基地局のアドレス１１０１及び省電力管理ノードのアドレス１１０２が含まれている。ＵＤＰパケットヘッド１１０３には運営業者によって定められたデータポートがさらに含まれる場合もある。その後ろは省電力スケジューリングのヘッド部１１０４である。ヘッド部１１０４には、当該基地局の達成すべき目標ピーク時レベル１１０５、調整が必要なオプションの数ｎ１１０６、及びそれぞれのサービススケジューリングオプションに対する応答１１０７が規定されている。サービススケジューリングオプション１１０７の応答には、スケジューリングが必要な端末識別子１１０８、転入または転出の表示１１０９、スケジューリングが必要なトラフィックの大きさ１１１０、協調スケジューリングが必要な基地局の識別子１１１１、および最後の対応する基地局のアドレス１１１２が含まれている。
【００３１】
図１２は本発明による基地局が省電力管理ノードに応答するメッセージの構成である。ここではＩＰパケットヘッドおよびその後ろの部分のみを記載する。ＩＰパケットヘッドには、省電力管理ノードのアドレス１２０１及びソース基地局のアドレス１２０２が含まれている。ＵＤＰパケットヘッド１２０３には運営業者によって定められたデータポートがさらに含まれる場合もある。その後ろは省電力スケジューリングのヘッド部１２０４である。省電力スケジューリングヘッド部１２０４には、当該基地局の達成すべき目標ピーク時レベル１２０５、調整が必要なオプションの数ｎ１２０６、及びそれぞれのサービススケジューリングオプションに対する応答１２０７が含まれている。サービススケジューリングオプションの応答には、スケジューリングが必要な端末識別子１２０８、転入または転出の表示１２０９、スケジューリングが必要なトラフィックの大きさ１２１０、協調スケジューリングが必要な基地局の識別子１２１１、および最後の対応する結果１２１２（受諾または拒絶）が含まれている。応答の内容に基づいて、省電力管理ノードは再度のスケジューリングを選択することも可能で、現在の結果を次回のスケジューリングまで受諾することも可能である。
【００３２】
図１３は本発明による省電力スケジューリングの実例プロセスである。繰り返し最適化方法の角度から考えると、繰り返し過程の目標パラメータが多いほど、結果の収束速度が遅くなる。最適化の過程においては様々な方法とモデルを利用することが可能である。図１３は一つの簡単な線形省電力スケジューリングの実例を示す。この実例において、１３：００に、基地局数と端末数及びサービスモードは図７、図８及び図９に示す通りに行なうことを仮定する。
【００３３】
まず、すべての基地局と省電力管理ノードの間で基地局状態を更新し（１３０１）、且つトラフィックとサービス情報を更新する（１３０２）。省電力スケジューリングを行なう際に、現在の消費電力が最も低い方法のみにしたがってスケジューリングを行なう。例えば、一回の繰り返しの結果が移動端末３のトラフィックを基地局２から基地局１と基地局３にシフトしたとする。そして、基地局２はピーク時レベル２に設定する。しかし、基地局ピーク時レベルテーブルの内容により、この時間帯に、基地局２は必ずフルリソースで作動しなければならない。さもなければ、サービスの質を低下させる可能性が非常に高い。従って、このようなスケジューリング結果は受け入れることができない。そのため、スケジューリングプロセスは次回の繰り返しに入り、ほかの結果を探す。最後に、見つかった準最適結果は移動端末３のデータをすべて基地局１から基地局２にシフトし、且つ基地局２と基地局３は連携サービスを組む。このようにして、基地局１はピーク時レベル２に調整され、基地局ピーク時レベルテーブルを満たすことができる。基地局４はサービスが必要な端末がないが、基地局ピーク時レベルテーブルによってピーク時レベル２に入り、サービスの信頼性を保証する。省電力スケジューリング（１３０３）が完了した後、ステップ（１３０４）において、省電力管理ノードは結果をすべての基地局に送信する。このようにして、ステップ（１３０５）において、関連するデータフローのシフトを執行し、その後、基地局１と基地局４は対応するピーク時レベルに設定される（１３０６）。最後に、すべての基地局はスケジューリングの結果を省電力管理ノードに送信する。
【産業上の利用可能性】
【００３４】
本発明による通信制御装置は、ネットワーク全体の消費電力の最適化が可能で、ネットワーク全体の基地局システムの修正の必要がないので、モバイル通信ネットワークの省電力スケジューリングに大いに応用されることが期待できる。
【図１】
2011061778.tif 000003
【図２】
2011061778.tif 000004
【図３】
2011061778.tif 000005
【図４】
2011061778.tif 000006
【図５】
2011061778.tif 000007
【図６】
2011061778.tif 000008
【図７】
2011061778.tif 000009
【図８】
2011061778.tif 000010
【図９】
2011061778.tif 000011
【図１０】
2011061778.tif 000012
【図１１】
2011061778.tif 000013
【図１２】
2011061778.tif 000014
【図１３】
2011061778.tif 000015